(57)【要約】【課題】データ書き込みのミスを減らす。【解決手段】トランスミッション制御用コントローラがスタータ誤操作防止のスタータカット出力を持っている。このスタータカット出力を利用してデータ書き込みを行う。スタータカット出力はクラッチ接でかつインギヤの時に、スタータの誤操作防止を目的とする機能であり、スタータカット出力中は、スタータが作動することがないので、この状態の時にデータの書き込みを行う。前記カット出力条件が不成立になった場合でも、データの書き込みが終了するまでは、スタータカット出力のままとする。【選択図】図１
2006038003.tif 000002
【特許請求の範囲】
【請求項１】
制御に必要なデータや車両の状態を記憶し、かつそのデータの書き換えが可能なメモリーを備えた車両状態記憶装置において、
前記データの書き換えを、電源の状態変動を監視する手段により、その変動が所定範囲内であると判断されたタイミングで実行することを特徴とする車両状態記憶装置。
【請求項２】
車両の搭載されたエンジンを始動させるスタータの作動停止を行うスタータカット信号を出力することにより、前記スタータの作動を停止させ、これにより、前記変動を所定範囲内に収束させていることを特徴とする請求項１に記載の車両状態記憶装置。
【請求項３】
前記データの書き換えを、前記スタータカット信号の出力中に開始し、書き込み完了までは前記スタータカット信号の出力を維持することを特徴とする請求項２に記載の車両状態記憶装置。
【請求項４】
前記データは、クラッチ状態の初期位置から使用に伴いずれていく位置情報や車両搭載機器の各フェール情報を含んでいることを特徴とする請求項１ないし請求項３のいずれかに記載の車両状態記憶装置。
【発明の詳細な説明】
【技術分野】
【０００１】
本発明は、車両の状態に関する各種データや、これまでのフェール情報等を保存する車両状態記憶装置に関するものである。
【背景技術】
【０００２】
車両に搭載したコントロールユニットのメモリーに車両の各種状態が保存され、適宜消去、書き込みが行われて書き換えられるようになっている（特許文献１参照）。
【０００３】
例えば、トランスミッション制御用コントローラは、制御用の各入出力信号から車両の状態が把握でき、これらの情報や、学習値、これまでのフェール情報等がＥＥＰＲＯＭにデータ保存されている。これらデータの保存は、イグニションキーをＯＦＦにした直後に、電圧低下を検出し、バックアップ電源に切り換えてマイコン作動電源を一定時間確保した上で行われることが一般的である。
【特許文献１】特開平１１−１４１３９２号公報（第３−４頁、図３）
【発明の開示】
【発明が解決しようとする課題】
【０００４】
メモリーに保存したデータを書き換える場合に、イグニションキーをＯＦＦにした直後にデータ保存を行うようにしていると、電源変動の電圧低下時に、キーがＯＦＦになったと誤判定した場合、供給電源が変動している最悪条件で書き換えを開始し、書き換え作業が不安定になる。書き換え作動の中断や保存するデータや値が破損する可能性もあり、信頼性の低いデータになってしまう。書き込み作業が終了できても、データが破損していると、読み出しチェックでＮＧ判定になり、保存データを破棄することになる。なお、イグニションキーＯＦＦ判断後、一定の時間を空けて開始する方法も考えられるが、イグニションキーをＯＦＦにした直後に、再度スタートする可能性もあるので好ましくない。
【課題を解決するための手段】
【０００５】
本発明は、制御に必要なデータや車両の状態を記憶し、かつそのデータの書き換えが可能なメモリーを備えた車両状態記憶装置において、前記データの書き換えを、電源の状態変動を監視する手段により、その変動が所定範囲内であると判断されたタイミングで実行することを特徴とするものである。
【発明の効果】
【０００６】
電源変動の少ない状態で各種データの保存を行うようにしたので、保存データの書き込みの失敗を大幅に減らすことができる。
【発明を実施するための最良の形態】
【０００７】
データの書き換えを電源変動の少ないタイミングで実行する、例えば、トランスミッション制御コントローラのスタータカット出力中にデータ保存を開始し、保存が完了するまではスタータカット出力を維持するという簡単な構成で、データの保存ミスを大幅に減らすと言う目的を達成する。
【実施例１】
【０００８】
以下、本発明の一実施例について説明する。本発明の車両状態記憶装置は、ＥＥＰＲＯＭ（メモリー）へのデータの書き込みを電源変動の少ないタイミングで行うために、車両の走行中やスタータカット出力中に実行するようにしている。この実施例では、電源変動中の書き込みを避けるため、トランスミッション制御コントローラのスタータカット出力中にデータ書き込みを行うようにした。トランスミッションコントローラは、制御用の各入出力信号から車両の状態が把握でき、スタータの誤操作防止のためのスタータカット出力を持っている。これら車両の状態情報からタイミングを判断し、スタータカット出力を利用してデータの書き込みを行うようにした。なお、前記電源変動が少ないタイミングとは、具体的には、電源の状態変動を監視する手段により検出した変動が所定範囲内であると判断されたタイミング等を言う。
【０００９】
前記データは、例えば、クラッチの初期位置から使用に伴いずれていく位置情報等の走行時の学習値や、車両搭載機器のこれまでの各種フェール情報等を含んでいる。また、例えば、ギヤシフトユニットを搭載している車両では、ギヤの位置、内部の電磁弁の開閉状態、走行距離のデータ等を含んでいる。
【００１０】
トランスミッション制御用コントローラのスタータカット出力中に、ＥＥＰＲＯＭ（メモリー）に保存したデータの書き換えを行う制御内容について、以下のフローチャートにより説明する。図１は、スタータコントロールのフローチャートである。先ず、ステップ１（Ｓ１）でクラッチペダルを踏んでいるか否かを判断する。クラッチペダルを踏んでいない場合には、ステップ２（Ｓ２）で、ギアが入っていない状態か否か、つまりニュートラルであるか否かを判断する。クラッチペダルを踏まず、かつ、ニュートラルでもない状態つまりギアが入っている状態の時には、ステップ３（Ｓ３）でスタータ禁止にするつまりスタータカットリレーをＯＮにする。
【００１１】
また、前記ステップ１（Ｓ１）でクラッチペダルを踏んでいるときには、ステップ４（Ｓ４）に移り、データ書き込み中か否かを確認する。データ書き込み中の場合には、ステップ３（Ｓ３）でスタータ操作を禁止する。また、ステップ２（Ｓ２）でギアが入っていないニュートラルの状態の時にも、ステップ４（Ｓ４）でデータ書き込み中か否かを確認し、書き込み中の場合には、同様にステップ３（Ｓ３）でスタータ操作を禁止する。一方、ステップ４（Ｓ４）でデータ書き込み中でない場合には、スタータの操作をしても問題がないので、ステップ５（Ｓ５）でスタータ操作を許可するつまりスタータカットリレーをＯＦＦにする。
【００１２】
図２は、ＥＥＰＲＯＭへのデータ書き込みについてのフローチャートである。ここでは、先ず、ステップ１１（Ｓ１１）でスタータ操作が禁止状態か否か判断する。スタータ禁止状態の時には、ステップ１２（Ｓ１２）でデータの書き込みを開始する。また、スタータ禁止状態でないときには、ステップ１１（Ｓ１１）に戻り、データ書き込みは行われない。
【００１３】
ステップ１２（Ｓ１２）でデータ書き込みが開始した後は、ステップ１３（Ｓ１３）でスタータの操作を禁止する。その後、ステップ１４（１４）でデータの書き込みが完了したか否かを判断し、完了したときには、ステップ１５（１５）でスタータの禁止を解除する。また、ステップ１４（Ｓ１４）で書き込みが完了していないときには、ステップ１３（１３）のスタータ禁止状態に戻る。
【００１４】
スタータカット出力は、インギアでありかつクラッチが接の状態の時のスタータ誤操作防止を目的とする機能であり、スタータカット出力中はスタータが作動しない時間であるから、このときにデータの書き込みを開始する（ステップ１１からステップ１２）。また、スタータカット出力の条件が不成立になっても、データ書き込み中の場合は、データの書き込みが終了するまでスタータカット出力のままとする（ステップ１またはステップ２からステップ４、ステップ３）。そして、書き込みが完了した後、スタータの操作禁止を解除する（ステップ１４からステップ１５）。
【００１５】
この実施例のようにスタータ操作が禁止状態の時にデータの書き込みを開始し、書き込みが完了するまでの間はスタータ操作を禁止にしておくので、データ書き込み中にスタータが操作されてバッテリー電圧（コントローラへの供給電圧）が不安定になることがなく、データ書き込みミスを防止することができる。なお、データの書き込みは、前記のようなスタータカット出力中に限るものではなく、走行中等のように電源変動の少ないタイミングに行えばよい。
【００１６】
前記データの書き込みを行う場合には、データを種類、重要性、更新頻度によって分類し、メモリーのアドレスもタイミングも分けて書き込みを行うことが好ましい。このように分類して書き込みを行うことにより、書き込みの回数を抑え、書き込み不良時の被害を最少にすることができる。またデータを分割することにより書き込み所要時間を短縮することができる。しかも、メモリー自体の部分不良や破損で連続して書き込み不良が発生したときには、次回の書き込みアドレスを移動することによりメモリー不良に対応することができる。
【００１７】
ＥＥＰＲＯＭなどの外部メモリーは、書き込み限界回数があるので、不必要なアクセスはできるだけ避けることが好ましい。保存するデータのうち、学習値やフェール情報などは更新の頻度が少ないので、必要が生じたらその部分だけを書き換えるようにする。
【図面の簡単な説明】
【００１８】
【図１】車両状態記憶装置のデータ保存を行う際の、スタータコントロールの制御フローチャートである。（実施例１）
【図２】車両状態記憶装置のデータ保存を行う際の、ＥＥＰＲＯＭデータ書き込みの制御フローチャートである。
【図１】
2006038003.tif 000003
【図２】
2006038003.tif 000004